(57)【特許請求の範囲】
【請求項１】
針金(10)と、この針金(10)の全周囲に被覆される被覆部材(20)とからなる塑性変形可能な線状材(30)であって、被覆部材(20)は、合成樹脂、合成ゴム又は天然ゴムから構成され、この被覆部(20)の半径方向の厚みが、３〜１５mmであり、且つ、針金(10)の直径の２倍から６倍の範囲内であり、
この線状材(30)を適宜切断、屈曲、折曲し、又は、組み合わせ、結合することによって各種の飼育用品が形成されることを特徴とするペット用飼育用品。
【請求項２】
上記のペットがハムスター、リス、二十日鼠又は小鳥であることを特徴とする請求項１に記載のペット用飼育用品。
【発明の詳細な説明】
【０００１】
【産業上の利用分野】
本願発明は、ハムスター、リス、二十日鼠、小鳥等の小動物のためのペット用飼育器具やおもちゃ等の飼育用品に関するものである。
【０００２】
【従来の技術】
従来においては、この種のペット用飼育用品としては、とまり木、はしご段、ブランコ、トンネル、回転車等各種のものが存在しているが、それぞれ単品として、はしご段ははしご段として、ブランコはブランコとして、それぞれ存在し、１つのものが、はしご段にも、ブランコにも、また、トンネルにも変化して、種々の飼育用品として使用できるものは存在していなかった。
【０００３】
【発明が解決しようとする課題】
従来のペット用飼育用品は、それぞれ単品としてのみ存在していたため、必要に応じてそれぞれ個々のものを買い揃えなければならなかった。そこで、本願発明においては、ある１つの種類の物品を購入することによって、その物品を種々変形させて、各種の飼育おもちゃや飼育器具等を作り上げることのできるペット用飼育用品を提供することをその課題としている。また、本願発明は、特にハムスター、リス、二十日鼠、及び小鳥等の小動物用のものとして開発されたものである。
【０００４】
【課題を解決するための手段】
上記課題を解決するために、本願の請求項１に係る発明は、針金(10)と、この針金(10)の全周囲に被覆される被覆部材(20)とからなる塑性変形可能な線状材(30)であって、被覆部材(20)は、合成樹脂、合成ゴム又は天然ゴムから構成され、この被覆部(20)の半径方向の厚みが、３〜１５mmであり、且つ、針金(10)の直径の２倍から６倍の範囲内であり、この線状材(30)を適宜切断、屈曲、折曲し、又は、組み合わせ、結合することによって各種の飼育用品が形成されることを特徴とするペット用飼育用品を提供する。
本願の請求項２に係る発明は、上記のペットがハムスター、リス、二十日鼠又は小鳥であることを特徴とする請求項１に記載のペット用飼育用品を提供する。
【０００５】
【作用】
本願発明に係るペット用飼育用品は、中心部の針金１０及び外周部の被覆部２０からなる線状材３０であり、この線状材３０が塑性変形を行うため、種々の形に変形させることができる。従って、この線状材３０を適宜に分割して、変形し、また、組み合わせて結合することによって、例えば、とまり木、はしご段、ブランコ、トンネル、回転車等の各種のペット用の飼育器具やおもちゃを製作することができる。更に、被覆部２０の厚みを中心部の針金の厚みよりも数倍厚く形成しているため、小動物が本願発明の飼育用品をかじったり、つついたりしたとしても、何らの問題も生じない。また、小動物の種類により歯の大きさや強さも異なるため、小動物の種類に応じて被覆部２０の厚みの異なるものを選択して、使用することができる。とりわけ本願発明の飼育用品は、ハムスター、リス、二十日鼠又は小鳥等の小動物用のものとして最適なものとなる。なお、本願発明の飼育用品は、一般のペンチ等によって容易に切断することができる。
【０００６】
【実施例】
以下、添付の図面に従って本願発明の実施例について説明する。図１は、本願発明に係る飼育用品の一部切欠斜視説明図であり、中心部の針金１０と、それを被覆する被覆部２０とからなる線状材３０から成る。針金１０はアルミニウム製であり、種々の形状に塑性変形可能である。被覆部２０は、塩化ビニール製の合成樹脂で同じく塑性変形が可能である。針金１０は、アルミニウム以外の塑性変形可能な金属を使用することができるが、必ずしも塑性変形する素材を使用しなくとも実施可能であり、塑性変形する被覆部２０の被覆によって、線状材３０の全体が塑性変形すればよい。他方、被覆部２０の素材も、上記以外の合成樹脂やその他合成ゴムや天然ゴム等を使用することが出来るが、仮に塑性変形しない素材であっても、塑性変形可能な針金１０によって線状材３０の全体が塑性変形するものであればよい。
【０００７】
針金１０の直径は、この実施例において、２．０ミリメートルであって、被覆部２０の半径方向の厚みｔは４．０ミリメートルである。従って、本願発明の飼育用品に係る線状材３０の直径は、丁度１０．０ミリメートルである。針金１０の直径は、適宜設定することができ、好ましくは、約１．０ミリメートルから５．０ミリメートルまでである。被覆部２０の厚みｔも適宜設定することができるが、線状材３０の直径は、太すぎると、種々の形状に形成しずらくなり、細すぎると被覆部２０がペットにかじられて、針金が容易に露出してしまうため、約３ミリメートルから約１５ミリメートルまでである。線状材３０の長さは、自由に設定することができ、種々の長さのものを何本か組み合わせてセットにして、１つの製品として出荷することができる。
【０００８】
この線状材３０の使用方は、先ず、適宜長さにペンチ等により切断し、飼育器具やおもちゃの構成片とし、これらの構成片を手によって組み合わせ、接合して、各種のものを製作することができる。また、特に切断しなくとも、１本の線状材をスパイラルに形成して、トンネル形状にすることもできる。このようにして、とまり木、はしご段、ブランコ、トンネル、回転車等の各種のおもちゃや飼育器具を製作することができる。
【０００９】
図２以下は、本願発明に係る飼育用品を使用して各種のおもちゃや飼育器具を製作した状態の斜視説明図である。図２は、本願発明に係る飼育用品をはしご段に形成した状態の斜視図である。もととなる線状材を切断して、２本の線状材２１、２１を準備する。また、別の線状材を切断して多数の短い線状材２２、２２、・・・を準備する。そして、２本の線状材２１、２１を平行に並べて、短い線状材２２を一定の間隔で配置し、その両端部を平行に配置された線状材２１、２１に固定する。固定は、線状材２２の両端を線状材２１に巻き付けるように屈曲させて容易に固定することができる。これにより図示の如きはしご段が製作され得る。
【００１０】
図３は、本願発明に係る飼育用品をブランコに形成した状態の斜視図である。これは、もととなる線状材２３、２３の２本を使用し、それぞれ釣鐘形状及び三角形形状に折曲し、その両端部を捩じり合わせるようにして固定する。そして、それぞれの線状材２３、２３は、相互に連鎖するように形成する。上方の釣鐘形状の線状材の上端部はフック形状に形成し、図示はしていないが、ペットの飼育用の檻や籠の上方の枠等に釣り下げることができるようにしている。これにより、これらの線状材２３、２３の連鎖が図示の通りブランコとして機能する。
【００１１】
図４は、１本のもととなる線状材を螺旋状に巻回して、スパイラルのトンネル２５を形成した状態の斜視図である。トンネル２５を構成する線状材の螺旋の間には隙間が形成されている。このトンネル２５を形成する場合には、適当な棒状体や管体を見つけだして、それの回りに本願発明のおもちゃを巻回して、作成することができる。更に、このトンネル２５を形成した線状材の両端部には、合成樹脂製のキャップ３９、３９を取り付けている。このスパイラルに形成されたトンネルは、とりわけハムスター等が好むものである。このトンネル２５は、幾つかをその両端部で組み合わせ、連結して長くすることもできる。図５は、図４のトンネル２５を２本作成し、一方の螺旋の間に他方の螺旋を回転させつつ組み合わせ、結合することによって作成したトンネルを図示する斜視図である。従って、このおもちゃの例では、トンネル内が暗くなるのである。
【００１２】
図６は、本願発明に係る飼育用品を回転車に形成した状態の斜視図である。２本のもととなる線状材２６、２６を使用し、それぞれの線状材２６を円形に形成し、両端をプラスチック製の筒状のジョイント２７で連結する。この連結は、前記ブランコを作成したときと同様に、線状材２６の両端を相互に捩じり合わせて固定することもできる。これらの円形の線状材２６を一定間隔に平行に配置して、短く切断された複数の線状材２８を、前記のはしご段を形成したときと同様に、順次両線状材２６、２６に掛け渡すように組合せ、両端を屈曲させて固定していく。これを繰り返して、図示するような回転車２９が作成されうる。
【００１３】
図７は、ペット用籠に本願発明に係る飼育用品を取り付けた状態の説明図である。線状材３０は、適当に屈曲させて、小鳥の曲がりくねったとまり木の形状に形成し、その両端部を籠の枠４０に屈曲させて固定している。本願発明によれば、通常の真っ直ぐなとまり木と異なり、希望する形状のとまり木を形成することが可能となる。図８は、複数のとまり木を組み合わせて取り付けた使用例を図示している。即ち、先ず、線状材３０を籠の対向する枠に掛け渡すように取り付け、この線状材３０の適宜位置から下方の枠にかけて他の線状材３１を掛け渡すように取り付け、同様にこの線状材３１の適宜位置から側方の枠にかけて他の線状材３２を掛け渡す。このように繰り返して、線状材３３、３４、３５を掛け渡すことによって、図示したような飼育用品が出来上がるのである。この例は、小鳥に限らず、ハムスター等の小動物に対しても使用することができるものである。
【００１４】
以上、実施例について説明したが、本願発明に係る線状材から成る飼育用品によって作成され得る飼育器具やおもちゃは、種々に考えることができるし、利用者が自由に創造力を働かせて、新しい形状のものを作成することもできる。種々の形状に作成するのは、全て本願発明においては、手及び指によって行うことができる。また、手及び指によって行うことが出来るような程度の柔軟さに本願発明に係る線状材を製造している。勿論のこととして、きちんとした形状に、例えば、同じ直径のスパイラルや円、又は、三角形を作成したりする場合には、他の何らかの物や道具等を利用することも自由である。本願発明に係る飼育用品は、現在使用中のペットの籠や檻の内部において種々の形状に製作することもできるのである。針金１０の直径、及び、被覆部２０の被覆厚みは、特許請求の範囲内において、自由に設計変更することができる。
【００１５】
【発明の効果】
上記の構成から成る本願発明は以下の如き効果を有する。本願発明に係るペット用飼育用品は、容易に塑性変形する線状材から成るため、手や指等によって容易に種々のおもちゃや飼育器具に変形させることができ、ハムスター等の小動物から種々のペット用のものとして使用することができる。即ち、これらの線状材のみの一物品で、それを適宜に分割して変形し、また、組み合わせて結合することによって、例えば、とまり木、はしご段、ブランコ、トンネル、回転車等の各種のペット用おもちゃを製作することができる。現在使用中のペット用の籠や檻の大きさに適合させて、好みの大きさで種々のものを製作することできる。被覆部の厚みを中心部の針金の厚みよりも数倍厚く形成しているため、ハムスター、リス又は二十日鼠等の小動物が本願発明のおもちゃをかじったとしても、また小鳥がくちばしでつついたとしても、何らの問題も生じない。小動物の種類に応じて歯の大きさや強さも異なるため、小動物の種類に応じて被覆部の厚みの異なるものを選択して、使用することができる。
【００１６】
本願発明によって作成されるおもちゃ等の大きさが、ペットの籠や檻の入口の大きさよりも大きい場合には、その籠や檻の内部において作成することもできるため、少し大きめのものもペットのために作成することができる。本願発明の材質は、例えばアルミニウムや塩化ビニール等によって作成できるため、非常に安価に製造でき、製造コストを低く押さえることも可能である。その材質により、ペットの糞尿による汚れがつきにくく、また、その水洗いも可能となる。その材質により着色も容易となり、カラフルな製品を提供できる。同様にその材質により落としたりしても破損することはなく、また形状が歪んでしまったとしても容易に修復が可能である。以上、本願発明は、多大な効果を発揮するものである。
【図面の簡単な説明】
【図１】本願発明の一実施例を図示する斜視図である。
【図２】本願発明に係る飼育用品からはしご段を作成した状態を示す斜視図である。
【図３】本願発明に係る飼育用品からブランコを作成した状態を示す斜視図である。
【図４】本願発明に係る飼育用品からトンネルを作成した状態を示す斜視図である。
【図５】本願発明に係る飼育用品から他のトンネルを作成した状態を示す斜視図である。
【図６】本願発明に係る飼育用品から回転車を作成した状態を示す斜視図である。
【図７】本願発明に係る飼育用品を飼育籠に取り付けた状態の説明図である。
【図８】本願発明に係る飼育用品を飼育籠に取り付けた他の状態を示す説明図である。
【符号の説明】
１０ 針金
２０ 被覆部
２１、２２、２３、２５、２６、２８ 線状材
３０、３１、３２、３３、３４、３５ 線状材
【図１】
0003584070.tif 000002
【図２】
0003584070.tif 000003
【図３】
0003584070.tif 000004
【図４】
0003584070.tif 000005
【図５】
0003584070.tif 000006
【図６】
0003584070.tif 000007
【図７】
0003584070.tif 000008
【図８】
0003584070.tif 000009